(57)【要約】  壁表面（１８）の前部に設置可能な透明パネル（１２）とスクリーン装置（１４）とからなるホワイトボード（１０）。スクリーン装置（１４）は、透明パネル（１２）越しの視界が妨げられない第一の状態と、スクリーン装置（１４）が透明パネル（１２）越しの視界を妨げる第二の状態との間で変化することが可能である。【選択図】図２
2012504504.tif 000002
【特許請求の範囲】
【請求項１】
壁表面の前部に設置可能な透明パネルとスクリーン装置とからなるホワイトボードであって、
前記スクリーン装置は、前記透明パネル越しの視界が妨げられない第一の状態と、前記スクリーン装置が前記透明パネル越しの視界を妨げる第二の状態との間で変化することが可能であるホワイトボード。
【請求項２】
前記スクリーン装置はリールの上で巻回可能なブラインドからなり、第一の状態では前記ブラインドが前記リールの上で巻かれており、第二の状態では前記ブラインドが前記リールから延長して前記透明パネルに隣接する、請求項１に記載のホワイトボード。
【請求項３】
前記リールは前記透明パネルの上側端部に隣接して固定可能であり、第二の状態で前記ブラインドは、前記透明パネルとその上に前記透明パネルが載置される壁の表面との間で、前記透明パネルに隣接して設けられる、請求項２に記載のホワイトボード。
【請求項４】
前記リールは前記透明パネルの上側端部に固定されたハウジング内に載置される、請求項３に記載のホワイトボード。
【請求項５】
複数のスペーサが、前記透明パネルがスペーサによって壁の表面と離間してかつこれと平行に保持されるように、前記透明パネルの端部の周囲に設けられる、請求項４に記載のホワイトボード。
【請求項６】
前記スペーサが透明パネルの下側端部の相対する両端に固定され、また前記ハウジングは上側端部の長手方向に沿って固定され、壁の表面に固定可能であるため、前記透明パネルは壁表面から離間してかつこれと平行に保持される、請求項５に記載のホワイトボード。
【請求項７】
前記ハウジングの前方の長手方向の端部に凹部が設けられ、前記透明パネルの上側端部がこの凹部内に受容されるようになっている、請求項６に記載のホワイトボード。
【請求項８】
前記ハウジングが概してＵ字型の細長い部材からなり、開口側面が最も下に位置し、一対の先端キャップが、前記細長い部材の各長手方向の端を挟んで固定されるようになっている、請求項４から７のいずれか１項に記載のホワイトボード。
【請求項９】
前記リールが、前記ブラインドが前記ハウジングの下部開口側面から下方に引っ張られるように回転可能な状態で先端キャップの内側表面に設けられた突出部の間に固定される、請求項８に記載のホワイトボード。
【請求項１０】
取り付けレールが設けられ、前記取り付けレールは上向きの溝を有する細長い部材からなり、前記ハウジングの後部長手方向の端部が溝の中で下向きに受容されることが可能となる、請求項４から９のいずれか１項に記載のホワイトボード。
【請求項１１】
案内部材は前記リールの下でかつ前記透明パネルの上側端部に隣接した前記先端キャップ間に延在して設けられ、前記案内部材は、前記リールに対して概して接線方向となる上側端部と、前記透明パネルに対して概して平行になる下側端部とを有する角壁からなり、前記ブラインドは、その第二の状態に延長する場合、前記角壁上で滑動する、請求項８から１０のいずれか１項に記載のホワイトボード。
【請求項１２】
一以上のライトが前記ハウジング内に設けられて、前記ブラインドの背後から光を当てる、請求項４から１１のいずれか１項に記載のホワイトボード。
【請求項１３】
一以上のライトが前記ハウジング内に設けられて、前記透明パネルの背後の壁表面に光を当てる、請求項４から１２のいずれか１項に記載のホワイトボード。
【請求項１４】
前記ライトが前記案内部材の下側に固定された一片のライトの中に収納されている、請求項１２あるいは１３に記載のホワイトボード。
【請求項１５】
センサがスクリーン装置の位置を検出するために設けられ、前記スクリーン装置の検出された位置に基づいてライトをオンしたりオフしたりする、請求項１２から１４のいずれか１項に記載のホワイトボード。
【請求項１６】
前記透明パネルが、透明な状態と不透明な状態との間で切り替わることが可能なスマートガラスのパネルからなる、請求項１に記載のホワイトボード。
【発明の詳細な説明】
【技術分野】
【０００１】
本発明はホワイトボードに関する。
【背景技術】
【０００２】
ホワイトボードは、多くの異なる場所で情報を提示するために用いられる。場所によって、例えば重役会議室などでは、部屋の壁にホワイトボードを常設すると部屋の概観を損ねてしまう。このような課題の解決策の一つに、使用していないときには格納可能な携帯ホワイトボードの使用がある。
【発明の概要】
【発明が解決しようとする課題】
【０００３】
しかしながらこれは、ホワイトボードを取り付け位置まで移動させたり、そこから取りはずしたりするのが面倒であったり、使用していないときに保管するための空間を必要としたりする。
【課題を解決するための手段】
【０００４】
本発明は、上述の課題の少なくとも一部を解決するホワイトボードに関する。
【０００５】
本発明の一実施形態によれば、壁表面の前部に設置可能な透明パネルとスクリーン装置とからなるホワイトボードが提供される。前記スクリーン装置は、前記透明パネル越しの視界が妨げられない第一の状態と、前記スクリーン装置が前記透明パネル越しの視界を妨げる第二の状態との間で変化することが可能である。
【０００６】
好適な実施形態において、前記スクリーン装置はリールの上で巻回可能なブラインドからなり、第一の状態では前記ブラインドが前記リールの上で巻かれており、第二の状態では前記ブラインドが前記リールから延長して前記透明パネルに隣接する。
【０００７】
好適には、前記リールは前記透明パネルの上側端部に隣接して固定可能であり、第二の状態で前記ブラインドは、前記透明パネルとその上に前記透明パネルが載置される壁の表面との間で、前記透明パネルに隣接して設けられる。さらに、前記リールは、好適には、前記透明パネルの上側端部に固定されたハウジング内に載置される。
【０００８】
好適には、複数のスペーサは、前記透明パネルがスペーサによって壁の表面と離間してかつこれと平行に保持されるように、前記透明パネルの端部の周囲に設けられる。ある実施形態において、前記スペーサは透明パネルの下側端部の相対する両端に固定され、また前記ハウジングは上側端部の長手方向に沿って固定され壁の表面に固定可能であるため、前記透明パネルは壁表面から離間してかつこれと平行に保持される。
【０００９】
前記ハウジングの前方の長手方向の端部に凹部が設けられ、前記透明パネルの上側端部がこの凹部内に受容されるようになっていてもよい。
【００１０】
ある実施形態において、前記ハウジングは概してＵ字型の細長い部材からなり、開口側面が最も下に位置し、一対の先端キャップが、前記細長い部材の各長手方向の端を挟んで固定されるようになっている。前記リールは、好適には、前記ブラインドが前記ハウジングの下部開口側面から下方に引っ張られるように回転可能な状態で先端キャップの内側表面に設けられた突出部の間に固定される。
【００１１】
好適には、取り付けレールが設けられ、前記取り付けレールは上向きの溝を有する細長い部材からなり、前記ハウジングの後部長手方向の端部が溝の中で下向きに受容されることが可能となる。
【００１２】
案内部材は前記リールの下でかつ前記透明パネルの上側端部に隣接した前記先端キャップ間に延在して設けられてもよく、前記案内部材は、前記リールに対して概して接線方向となる上側端部と、前記透明パネルに対して概して平行になる下側端部とを有する角壁からなり、前記ブラインドは、その第二の状態に延長する場合、前記角壁上で滑動する。
【００１３】
ある実施形態において、一以上のライトが前記ハウジング内に設けられて、前記ブラインドの背後から光を当て、前記透明パネルの背後の壁表面に光を当てる。
【００１４】
センサはスクリーン装置の位置を検出するために設けられ、前記スクリーン装置の検出された位置に基づいてライトをオンしたりオフしたりする。
【００１５】
他の実施形態において、前記透明パネルは、透明な状態と不透明な状態との間で切り替わることが可能なスマートガラスのパネルからなる。
【図面の簡単な説明】
【００１６】
本発明を説明するために、添付の図面を一例として参照する。
【図１】本発明による、ブラインドが引き込まれた位置にあるホワイトボードの斜視図である。
【図２】ブラインドが部分的に伸長した位置にある図１のホワイトボードの斜視図である。
【図３】ブラインドが完全に伸長した位置にある図１のホワイトボードの斜視図である。
【図４】図１の位置におけるホワイトボードの側面図である。
【図５】図２の位置におけるホワイトボードの側面図である。
【図６】図３の位置におけるホワイトボードの側面図である。
【図７】額縁が取り付けられた壁に固定する前の、図１のホワイトボードの側面図である。
【図８】図１のホワイトボードの分解立体図である。
【図９】図１のホワイトボードのブラインド・ハウジングの垂直断面図である。
【図１０】図１のホワイトボードの下部の棚の垂直断面図である。
【発明を実施するための形態】
【００１７】
図面を参照すると、透明パネル１２とスクリーン装置１４とから構成されるホワイトボード１０が示されている。図示された実施形態において、透明パネル１２はガラスパネルから構成されている。この透明パネル１２はまた、透明プラスチックなどの任意の適切な透明素材であってもよい。
【００１８】
透明パネル１２は、概して表面に平行になるように壁表面の前部に置くことが可能である。図示された実施形態において、この表面は壁１８からなり、透明パネル１２は、この透明パネル１２と前記壁１８との間に空間ができるように壁１８の前に置かれる。
【００１９】
スクリーン装置は、第一の状態と第二の状態との間で変化することが可能である。この第一の状態において、スクリーン装置は、壁１８から透明パネル１２を通る光を妨げることはない。すなわち、透明パネル１２の後部の壁１８、あるいは壁１８の前にあるものならなんでも、透明パネル１２越しに見ることができる。スクリーン装置１４が最初の状態にある場合、ホワイトボード１０は不使用状態にある。図示された実施形態において、透明パネル１２は、壁１８に設置された絵画２０の前の壁１８上に設けられている。したがって、不使用状態において、透明パネル１２越しに絵画２０を見ることが可能である。
【００２０】
第二の状態において、スクリーン装置１４は、壁１８から透明パネル１２を通る光を妨げる。すなわち、透明パネル１２越しに壁を見ることはできない。スクリーン装置１４が第二の状態にある場合、ホワイトボード１０は「使用中」の状態となる。
【００２１】
透明パネル１２はその端部の周辺に複数のスペーサ４６が設けられ、これらのスペーサ４６によって壁１８から離間してかつ壁と平行に保持される。図示される実施形態においてスペーサ４６は、透明パネル１２の下側端部の相対する両端に固定される。
【００２２】
図示された実施形態において、スクリーン装置はリール２４上で巻回可能なブラインド２２からなる。このリール２４はハウジング２６の中に固定されて設けられ、透明パネル１２の上側端部に隣接して使用される。ハウジング２６は上側端部の長手方向に沿って固定され、壁１８に固定可能であるため、上側端部は壁１８から離間して保持される。
【００２３】
ブラインド２２は好適には不透明で白色である。第一の状態（図１および４に示される）において、ブラインド２２は、これがハウジング２６内に完全に収納されるようにリール２４上に巻きつけられる。第二の状態（図３および６に示される）において、ブラインド２２は、これが透明パネル１２に隣接してかつその背後に設けられるように下方に延長する。ブラインド２２はハウジング２６の下側における開口部を通して延長する。したがって、第二の状態では透明パネル１２は白色に見え、ホワイトボードとして使用することが可能である。
【００２４】
図８および９は、ホワイトボード１０のハウジング２６の構成要素を示す。ハウジング２６は、その下部側面に開口部を有する中空の細長い部材からなる。図示される実施形態において、この中空の細長い部材は概してＵ字型の押出２８から形成され、開口側面が最も下に位置し、一対の先端キャップ３０が押出２８の各長手方向の端をはさんで固定されるように設けられている。リール２４は、ブラインド２２がハウジング２６の下部開口側面から下方に引っ張られるように回転可能な状態で先端キャップ３０の内側表面に設けられた突出部３２の間に固定される。
【００２５】
また、取り付けレール３３も設けられている。この取り付けレール３３は（図９に示されるような）横断面において概してＪ字型の細長いプレートからなり、上向きの溝３４が形成される。取り付けレール３３は壁１８に固定され、ハウジング２６の後部長手方向の端部３６は溝３４の中に下向きに受容されることが可能であるため、ハウジング２６は取り付けレール３３に掛けられる。
【００２６】
ハウジング２６には案内部材３７も設けられている。この案内部材３７は、リール２４の下でかつ透明パネル１２の上側端部に隣接した先端キャップ３０の間に延在する押出からなる。案内部材３７は水平面３８および角壁４０から構成される。この角壁４０は水平面３８の端部から延長し、上側端部がリール２４に対して概して接線方向となり、下側端部が透明パネル１２に対して概して平行になるように曲がる。ブラインド２２は、図９に示されるように、角壁４０の表面上で滑動する。
【００２７】
ハウジング２６の前方の長手方向の端部４２には凹部４４が設けられ、透明パネル１２の上側端部がこの凹部４４内に固定されるようになっている。
【００２８】
ブラインド２２の下側端部には、支柱４８が設けられている。この支柱４８の端部は透明パネル１２の垂直端部に滑動可能に接続されている。支柱４８の各端にはローラ部材５０が設けられる。このローラ部材５０は各々、一対のローラ５２から構成され、透明パネル１２の垂直端部と係合するように位置づけられる。ローラ部材５０の一つあるいは両方を把持して、ローラ部材５０を下方に滑動させることによって、支柱４８とブラインド２２の下側端部とは、その第二の状態にまで移動することが可能となる。リール２４は、ブラインド２２を格納することが可能な既知のバネが充填されたタイプであることが好ましい。ブラインド２２をその第一の状態に戻すためには、ローラ部材５０を一時的に下方に引っ張り開放して、バネ構造にブラインド２２を格納できるようにする。
【００２９】
透明パネル１２には棚５４も設けられている。この棚５４は図１０に示されるように、透明パネル１２の下側端部に接続されており、マーカやホワイトボード消しなどのホワイトボードの用具を格納するために用いることができる。棚５４は透明パネル１２の下側端部に、水平位置と垂直位置間で旋回可能なように接続されてもよい。垂直位置において、棚５４は透明パネルに隣接してかつこれと平行に置かれる。棚５４の下側表面にはラベルホルダ（図示せず）が備えられ、このラベルホルダは、ホワイトボード１０が不使用状態にあるとき、透明パネル１２の背後に置かれた絵画の情報を表示するために用いることができる。
【００３０】
さらに、一以上のライトがホワイトボード１０内に組み込まれてもよい。これらのライトはブラインド２２の背後から光を当てて、ホワイトボードとして用いるためにより優れた照明効果を与える。この場合、ブラインド２２は光をいくらか通過させるために、完全には不透明とはならない材質から構成されてもよい。これによって、第二の状態にあるホワイトボード１０に背後から光を当てることになる。
【００３１】
ライトはまた、ホワイトボード１０として用いられていないときに透明パネル１２の背後の絵画２０に光を当てるために設けられていてもよい。これらのライトは、案内部材３７の水平面３８の下側に固定された一片のライト５６の中に収容されていてもよい。スクリーン装置の位置を検出するためにセンサが設けられ、スクリーン装置１４の検出された位置に基づいてライトを自動的にオンしたりオフしたりする。このセンサは、ブラインドが使用状態のホワイトボードに背後から光を当てる第二の状態にあるとき、そのライトをオンするために用いられてもよいし、あるいは透明パネル１２の背後の絵画に光を当てるために、ブラインド２２が不使用の状態にあるときに、そのライトをオンするために用いられてもよい。
【００３２】
ホワイトボードは使用されているときには、図面に示されるように絵画の額縁２０の上などの場所に置くことが可能である。スペーサ４６によって絵画の額縁２０の前の壁１８に支持されるという透明パネル１２の配置は、透明パネル２０の保護カバーとして用いられている透明パネル１２の見かけをよくする。したがって不使用の場合、ホワイトボード１０は一見、ホワイトボードのようには見えず、そのため置かれた場所の概観を損ねることがない。
【００３３】
本発明のさらなる実施形態において、ブラインド２２がその第一および第二の位置の間で移動可能となるように、リール２４を駆動させるモータを備えてもよい。
【００３４】
ホワイトボード１０は、不使用の状態にあるときにホワイトボード１０越しの視界が妨げられないように、他の適切な位置に設けられてもよいことが理解されよう。ホワイトボード１０は、スクリーン装置１４を使用状態に移動させることによって所望のときに使用可能となる。例えば、ホワイトボード１０は絵画２０の前ではなく窓の前に置かれてもよい。
【００３５】
別の実施形態において、ホワイトボード１０の一部を形成する透明パネル１２は額縁の一部として用いられてもよい。すなわち、透明パネル１２は、ブラインド２２が絵画と透明パネル１２の間で引き下ろされることが可能となるように絵画を保持するための装置を含んでもよい。またさらに別の実施形態において、透明パネル１２自身が、窓構造の一部をなしてもよい。例えば、透明パネル１２は二重ガラス窓の窓内枠から構成され、ブラインド２２は二枚のガラスの窓枠の間で滑動可能であってもよい。
【００３６】
さらなる実施形態において、スクリーン装置１４は、透明パネル１２越しの視界を妨げるような、下方に滑動可能なブラインド以外の構造から構成されてもよい。例えば、透明パネル１２は、透明パネル１２をガラスが透明な第一の状態とパネル越しの視界が妨げられる第二の状態との間で切り替える電流を印加したり、取り除いたりするような「スマートガラス」から構成されてもよい。
【００３７】
本発明のホワイトボードはまた、プロジェクタスクリーンなどの不透明なスクリーンが要求される他の目的のために用いられてもよいことが理解されよう。
【００３８】
本発明の基本的な発明概念から逸脱することなく、既述のもの以外に、前述の実施形態に種々の修正や改良がなされることは当業者にとって自明であろう。
【図１】
2012504504.tif 000003
【図２】
2012504504.tif 000004
【図３】
2012504504.tif 000005
【図４】
2012504504.tif 000006
【図５】
2012504504.tif 000007
【図６】
2012504504.tif 000008
【図７】
2012504504.tif 000009
【図８】
2012504504.tif 000010
【図９】
2012504504.tif 000011
【図１０】
2012504504.tif 000012
【国際調査報告】
2012504504.tif 000013
2012504504.tif 000014
2012504504.tif 000015
2012504504.tif 000016
2012504504.tif 000017